(57)【要約】【課題】本発明の課題は、特に個人が携帯できるサイズと軽量で緊急時に容易に設営できて個人の身体を覆い、雨風による危険から生命を守ることが可能で、通常のテント代わりにも使える携帯小型のエアテントを提供することである。【解決手段】本発明に係る携帯型エアテントは、使用者が乗ってもその下に存在する地面の凹凸又は突起の刺激を使用者の身体に伝えない強固又は柔軟性の素材により凹凸又は突起の刺激を緩衝する平板状の座板と座板上に折り畳まれて備えられ、空気を入れることで膨らみ使用者を覆う空間を提供するエアテント部とを備えている。【選択図】図１
2014084552.tif 000002
【特許請求の範囲】
【請求項１】
使用者が乗ってもその下に存在する地面の凹凸又は突起の刺激を前記使用者の身体に伝えない強固又は柔軟性の素材により前記凹凸又は突起の刺激を緩衝する平板状の座板と前記座板上に折り畳まれて備えられ、空気を入れることで膨らみ前記使用者を覆う空間を提供するエアテント部とを備え、前記エアテント部は、前記座板上に折り畳まれて備えられたことで携帯性と短時間の設営を可能としたことを特徴とする携帯型エアテント。
【請求項２】
前記座板は、使用者が前記使用者を覆う空間に入った場合、肩が触れないように肩幅より長めの幅と使用者の頭部と胴体を合わせたより長めの長さであることを特徴とする請求項１記載の携帯型エアテント。
【請求項３】
前記エアテント部は、使用者が横臥した場合に、前記頭部と胴体以外を収容し、これに接続して脚部を収容する脚部おおい空間を備えたことを特徴とする請求項１又は請求項２記載の携帯型エアテント。
【請求項４】
前記座板と前記エアテント部は、分離した別体で構成され、取付・取り外し自在の結合具で結合されていることを特徴とする請求項１から請求項３のいずれか１つに記載の携帯型エアテント。
【請求項５】
前記エアテント部に空気を入れる空気孔は、前記エアテント部の内側である前記使用者を覆う空間内に備えられるか、外側からパイプで前記使用者を覆う空間内に引き入れることで実質的に前記使用者を覆う空間内に備えられると同じ状態であることを特徴とする請求項１から請求項４のいずれか１つに記載の携帯型エアテント。
【請求項６】
前記エアテント部を前記地面に固定するための地面固定具が前記エアテント部の内側である前記使用者を覆う空間内に備えられていることを特徴とする請求項１から請求項５のいずれか１つに記載の携帯型エアテント。
【請求項７】
前記エアテント部の前記使用者を覆う空間内に張り、前記エアテント部の外側に面した布地との間に空気の間隙を備える内側布による内張りを係止する係止具を前記エアテント部の頂部に有することを特徴とする請求項１から請求項６のいずれか１つに記載の携帯型エアテント。
【発明の詳細な説明】
【技術分野】
【０００１】
本発明は、野外活動で使用して便利な、特に緊急避難に用いて便利な携帯型エアテントに関するものである。
【背景技術】
【０００２】
従来、エアテントは、商業的展示会の設営や、避難訓練などでの設営などで利用され、商品化されて市販されている。図１０の１０−Ａに示すものは、ＷＥＢから引用したもので市販のために公開されているものである。
野外活動では、金属性のフレームとテント布地でできたテントが多い。大きく分けて２つの利用があり、一つは、車で移動するキャンプなどでの使用に供されるもので、前例のものに比べて小型で軽量のものとなっている。二つ目は、登山や釣りなど使用者自身が携帯するもので、更に小型で軽量化・設営容易化が計られたものである。キャンプなどで使うものは、重すぎて登山等では用いられることはない。更に登山等で用いられるものは、ほとんどは、金属性のフレームと薄いテント布地で構成されていて、折り畳まれ又は巻き状態にして収納され、ザックに入れたり、くくりつけたりして携帯される。ここで、１０−Ｂに示すものは、ＴＨＥ  ＣＡＶＥの商品名で市販のために公開されたエアフレームのテントであり、４、５人で使用するための通常の登山テント用途のエアテントである。通常の登山テント用途であるので、大きさも重さもそして価格もそれなりに嵩む結果である。同サイズの布地張りのテントと比較すると、重さも価格も約２倍である。張る時間が短い利点があるが、テントの撤収のために畳むのには時間がかかる欠点があり、価格を考えると利点が見えてこない。１０−Ｃ。１０−Ｄには、特許文献１、特許文献２に示すエアフレームによるエアテントの例である。両者ともエアエアフレームの構成について記述された提案である。エアテントの利点は、なんといっても、テント張り（設営）が速いこと、空気層により断熱効果が期待できることであるが、布地張りに比べ欠点もある。すなわち、エア抜きはそれなりの時間がかかり、不十分では収納サイズが大きくなってしまう。更に、エアを入れる空間を作るには、生地が両面にあることが必須なので、その分重量は大きくなる。従って、この特徴を考慮してエアテントを生かすには、サイズの大きな通常の登山テント用途では、余り特徴が生かされない。むしろ、滅多に使わないが、備えておくと緊急時に生命を守るための小型の携帯用覆いとして使うことが適当であると思っている。
以下に野外活動での問題を挙げる。
先ず、このようなテントを持参している場合は、それなりの装備がされているので、問題は小さい。時には、テントサイトが込み合い、狭すぎてテントが張れない場合がある。座位置の状態しかないような場合もある。この場合に、簡易に張れる小さいテントが欲しいと思うことがある。
しかしながら、通常、テントを常に携帯し使用できるとは限らない。なぜなら、ほとんどの登山者は山小屋泊まりでテントを持参していない。この場合の問題は、山小屋の外の移動時に緊急事態が発生した場合には、装備が不十分なことにより遭難の危険がある。
実際、このような装備の不十分や知識不足（雨模様だという予報でも雨具も待たない登山者も散見される）による遭難は後を絶たない。
例えば、北海道トムラウシ山でも夏山の事故は記憶に新しい。雨と風で体温を奪われて低体温症での遭難死に至った事故であった。このような時、無理に外に出ないで小屋の中にいるか、外に出ても雨風を直接受けないで済む簡易な囲いが携帯できていれば死なずに済んだのではないかと思うのである。冬の雪山では、スコップ１つあるかどうかが生死を分けると聞く。雪穴を掘るという知識と道具があれば、吹雪により低体温症にならずに済む場合がある。夏でもこのごろの天候は、風雨が激しく低体温症の危険に曝される危険性が増えている。このような事情に対応した手段が掛けているのが現状である。
【先行技術文献】
【特許文献】
【０００３】
【特許文献１】特開平１１−３６６６７
【特許文献２】実開平６−５６３９５
【発明の概要】
【発明が解決しようとする課題】
【０００４】
特に個人が携帯できるサイズと軽量で緊急時に容易に設営できて個人の身体を覆い、雨風による危険から生命を守ることが可能で、通常のテント代わりにも使える携帯小型のエアテントを提供することである。通常のテント場でない場所で設営しなければならない緊急時は、早く設営できることが重要であり、先ず被ってから、エアを入れて膨らますことも可能である。個人を覆う程度のものであれば、サイズも重量も、折り畳みも余り問題ではない。
【課題を解決するための手段】
【０００５】
本発明の携帯型エアテントは、使用者が乗ってもその下に存在する地面の凹凸又は突起の刺激を使用者の身体に伝えない強固又は柔軟性の素材により凹凸又は突起の刺激を緩衝する平板状の座板と座板上に折り畳まれて備えられ、空気を入れることで膨らみ使用者を覆う空間を提供するエアテント部とを備えている。
以下、請求項に沿って記述する。
【０００６】
請求項１記載の発明は、携帯型エアテントにおいて、
使用者が乗ってもその下に存在する地面の凹凸又は突起の刺激を前記使用者の身体に伝えない強固又は柔軟性の素材により前記凹凸又は突起の刺激を緩衝する平板状の座板と前記座板上に折り畳まれて備えられ、空気を入れることで膨らみ前記使用者を覆う空間を提供するエアテント部とを備え、前記エアテント部は、前記座板上に折り畳まれて備えられたことで携帯性と短時間の設営を可能としたことを特徴とする。
【０００７】
請求項２記載の発明は、請求項１記載の携帯型エアテントであって、
前記座板は、使用者が前記使用者を覆う空間に入った場合、肩が触れないように肩幅より長めの幅と使用者の頭部と胴体を合わせたより長めの長さであることを特徴とする。
【０００８】
請求項３記載の発明は、請求項１又は請求項２記載の携帯型エアテントにおいて、
前記エアテント部は、使用者が横臥した場合に、前記頭部と胴体以外を収容し、これに接続して脚部を収容する脚部おおい空間を備えたことを特徴とする。
【０００９】
請求項４記載の発明は、請求項１から請求項３のいずれか１つに記載の携帯型エアテントにおいて、前記座板と前記エアテント部は、分離した別体で構成され、取付・取り外し自在の結合具で結合されていることを特徴とする。
【００１０】
請求項５記載の発明は、請求項１から請求項４のいずれか１つに記載の携帯型エアテントにおいて、前記エアテント部に空気を入れる空気孔は、前記エアテント部の内側である前記使用者を覆う空間内に備えられるか、外側からパイプで前記使用者を覆う空間内に引き入れることで実質的に前記使用者を覆う空間内に備えられると同じ状態であることを特徴とする。
【００１１】
請求項６記載の発明は、請求項１から請求項５のいずれか１つに記載の携帯型エアテントにおいて、前記エアテント部を前記地面に固定するための地面固定具が前記エアテント部の内側である前記使用者を覆う空間内に備えられていることを特徴とする。
【００１２】
請求項７記載の発明は、請求項１から請求項６のいずれか１つに記載の携帯型エアテントであって、前記エアテント部の前記使用者を覆う空間内に張り、前記エアテント部の外側に面した布地との間に空気の間隙を備える内側布による内張りを係止する係止具を前記エアテント部の頂部に有することを特徴とする。
【発明の効果】
【００１３】
以上の様に構成されているので、本発明による携帯型エアテントは、特に個人が携帯できるサイズと軽量で緊急時に容易に設営できて個人の身体を覆い、雨風による危険から生命を守ることが可能で、通常のテント代わりにも使える利点がある。
【図面の簡単な説明】
【００１４】
【図１】本発明に係る携帯型エアテントの一実施態様を示す図である。
【図２】本発明に係る携帯型エアテントの別の一実施態様を示す図である。
【図３】本発明に係る携帯型エアテントの使用状態の例を示す図である。
【図４】本発明に係る携帯型エアテントの床板とテント部を分離・結合自在にした一実施態様を示す図である。
【図５】本発明に係る携帯型エアテントの床板の折り畳み構成の一実施態様を示す図である。
【図６】本発明に係る携帯型エアテントのエアフレーム構成の別の一実施態様を示す図である。
【図７】本発明に係る携帯型エアテントの内張り構造を備えた一実施態様を示す図である。
【図８】本発明に係る携帯型エアテントの外張り（フライシート）構造を備えた一実施態様を示す図である。
【図９】本発明に係る携帯型エアテントで内側から地面固定具を備えた一実施態様を示す図である。
【図１０】従来のエアテントの例を示す図である。
【発明を実施するための形態】
【００１５】
本発明の携帯型エアテントは、使用者が座る座板とその上にのっかっていて使用者を収容する空間を持つエアテント部を備える。携帯型エアテントとして各々に要求される性状は以下の通りである。
【００１６】
通常のテント場でも使用可能であることは勿論であるが、小屋以外の場所で止むを得ず使用する緊急の場合は、設営する場所が石だらけで凹凸があったり、樹木の根や竹などがあって、理想の設営下地ではないことがほとんどである。故に、接触する身体に痛み負荷を与えるとともに、テントの壁を傷つけ、エアが抜けて用を足さないことが考えられる。従って、必須なことは、身体及びテントを保護する構造とするため、地面に触れる下地は、容易に傷を受けない下地板であることは重要で、その上に更に身体への刺激を和らげる凹凸緩衝層があるのが好都合である。通常のテントのように下地がテント地であると、別に凹凸緩衝層としてマットを用意しなければならないし、エアテントでは、テント地の上にあるエアフレームの壁を突き破る破損が生じる恐れがある。どのような環境に設営するか分からないことに対応するには、たまたま突起が下地の下にあっても容易には踏み抜けない強い下地板が必須である。特に、突起があって身体の重量がかかっても破れないことが重要である。下地板の例としては、色々の例が可能である。例えば、タイヤ地やゴム長の靴底などのゴムは強固であり応用できる。軟質の塩化ビニル、アルミなどの軽量金属、炭素繊維など有機繊維や金属線繊維による織布、不織布など突起物に耐える素材は、多数見出すことができる。
このような下地板であれば、その上にエアテント部を折り畳みして構成される。エアテント部は、内部に収容される人数、普通は、一人の体が入る空間を提供できればよい。空気層が外気との間で断熱して放熱を回避してくれる。連続でテントを膨らましておくものではないので、テントの空気の密閉性は、厳密なものでなくともよい。１日もてば、緊急度は通常回避される。漏れに気づけば、エアを継ぎ足すことも可能である。
通常のテント場で使う場合は、一晩持てば、翌朝には畳むものである。比較的短期間での使用で緊急性が解除される。時には、暗くなってビバークすることもあるが、このようなときには、便利な手段となる。エアテント部は、エアマット、エアプール、エアテントとして市販又は特許文献などで提案されているので、使用するに制限は無いが、丈夫さと軽量なことが重要である。
以下図に沿って説明する。
【００１７】
図１は、本発明に係る携帯型エアテントの一実施態様を示す図である。
緊急時に最低限必要なことに限定し、その代わりに重量やサイズなど携帯性に重きをおいた例である。従って、雪穴に閉じこもるような状態で、足を延ばして横臥する大きさはない。胡坐をして座状態での使用が可能なものとなっている。従って、使用者が座る座板１１０は、地面に接触する下地板１１１と地面の凹凸の刺激を緩衝する緩衝層１１２を有している。緩衝層１１２は、下地板１１１と一体のものであり、両方の特徴が備わった素材があれば、区別がなくてもよい。一般には、緩衝層１１２は、クッション特性を有するので、凹凸に対応して曲がるので、強固さを持たないことが多いので、強固さを持つ下地板１１１とは異なることが普通である。尚、緩衝層１１２は、有るほうが便利であるが、無い場合にも、下地板１１１が強固で地面の凹凸を身体に伝えない場合があるので、必ずしも必須ではない。
【００１８】
エアテント部１２０は、座板１１０の上に接続された、又は分離自在に接続されていて、１−Ａのように個人を座位で頭が使えずに収納できる高さと、身体とテント内壁が適度に離れるように空間が与えられている。例えば、円形の座板１１０で考えると、直径が８０ｃｍ前後が適当である。大きくするほどゆとりがあるが、大きいほど重くなる。折り畳んで持ち運びに適度なサイズがよい。テント部１２０には、出入りのための出入り穴部１２１と空気穴１２２も備えられている。出入り穴部１２１は、ベルクロやファスナ、ホックなどの開閉具１２３による開閉がなされる。尚、エアを入れ、又は抜くエア穴も図示しないが備えられ、これには小型容器の圧縮空気で供給すると便利である。エア穴は、エアテント部１２０の内側にも備えると使用上便利である。緊急時に先ず、被って座板１１０に座ってからエアを入れることが出来、又、追加のエアの供給もいちいち外に出てする必要が無い。これは、極めて便利である。尚、外側からパイプで使用者を覆う空間内に引き入れることで実質的に使用者を覆う空間内にエア穴が備えられても同じである。
１−Ｂでは、１−Ａのものをエアテント部１２０のエアを抜いた状態を示している。エアテント部１２０は、座板１１０の上に畳まれる。１−Ｃでは、座板１１０が二つに折り畳める構成を示している。折り畳み又は巻き込みが出来るほど持ち運びに都合がよい。
【００１９】
図２は、本発明に係る携帯型エアテントの別の一実施態様を示す図である。
図１のものは、緊急時に最低限必要なことに限定したが、横臥できるという利便性を付け加えた例である。座板１１０はすくなくとも頭・胴体（腰部を含む）を横たえる長さを有する。更に足を延ばす、或いは折込んだ状態で収納する脚部覆い空間を有する。この図では、脚部覆い空間の部分には、座板１１０が無い場合を示したが、ある場合も可能である。２−Ａにおいて、この図では、座板１１０が二つに折り畳めるようになっているので、テントを収納する場合は、コンパクトになる。折るだけでなく丸めることが可能にすると更に好都合である。座板１１０の上にエアテント部１２０があり、エアテント部１２０には、出入り穴部１２１が描かれている。エアテント部１２０の高さは、座った状態で頭が天布につかえない高さがよい。エアテント部１２０に引き続いて脚部覆い空間１２４を有する。
従って、横臥して就寝することが出来る。２−Ｂでは、２−Ａのエアテント部１２０部のエアを抜いて、脚部覆い空間１２４を。座板１１０上に折り畳み、座板１１０を少し折り畳みかけた状態を示している。２−Ｃでは、２−Ｂの状態から更に完全に折り畳んだ状態を示す。折り畳んだあと、折り畳み状態を維持するため相重なる座板１１０を係止する係止具２０１を備えると都合がよい。他にザックに固定するためのザック固定具２０２を有すると便利である。これらは、帯、紐、ベルクロ、カラビナなどを使用することが出来る。２−Ｄは、２−Ａで斜視図で示すものを上面から見た平面図であり、２−Ｅは、出入り穴部１２１がある側から見た側面図である。特にエアを入れて膨らまし、テントの形状を左右するエアフレーム１２５が示されているが、示された形状にはこだわらない。
【００２０】
図３は、本発明に係る携帯型エアテントの使用状態の例を示す図である。図２に示す携帯型エアテントを用いて示してある。３−Ａでは、テントの内部空間に座位又は、横になった横臥状態で入った状態が点線で示してある。３−Ｂには、折り畳んだ（例えば２−Ｃのように）状態のエアテント１００がザック３００に係止され運搬に供されている。尚、図１の１−Ａでも、小さなエアテント空間に入って、雨風に曝されることを回避する使用状態が示されている。
【００２１】
図４は、図１、図２では、エアテント部１２０と座板１１０の結合関係については述べてこなかったので、一体に結合されていると思うのが通常である。これとともに、取付・取り外し自在の別体構成も可能であり、その場合には、エアテント部１２０はザックの中に、或いは丸めてザックに縛りつけ、座板１１０は折り畳んでザックに縛りつけるなど互いに別にしまうことが可能である。エアテント部１２０は、４−Ａに底側を上にして、座板１１０は、４−Ｂに天側を上にして、結合具４００（この例ではベルクロ）が見えるように示してある。結合具４００は、ファスナやホックでもよい。
尚、４−Ｃでは、４−Ａとの違いは、テントの底布４０１が結合具４００の周辺のみにある場合が４−Ａであり、座板１１０全面にわたりある場合が４−Ｃである。従って、人体は、４−Ａでは、４−Ｂの座板１１０に直接接触し、４−Ｃでは、座板１１０の上にある底布４０１に接触することになる。
【００２２】
図５は、本発明に係る携帯型エアテントの床板の折り畳み構成の一実施態様を示す図である。図１から図４にかけては、座板１１０の折り畳みが２枚構成の例を示した。折り畳みの構成は、何枚でも可能であり、ここでは３枚構成のものを示しているが、脚部覆い空間１２５にも座板１１０を配置したり、折り畳んだ状態を小さくすることが出来る。
【００２３】
図６は、本発明に係る携帯型エアテントのエアフレーム構成の別の一実施態様を示す図である。図２では、背骨の両側にあばら骨があるようなフレーム構成を示したが、これにこだわらずに多くのフレーム形状が可能である。ここでは、クロス掛けされたフレーム形状を示している。
【００２４】
図７は、本発明に係る携帯型エアテントの内張り構造を備えた一実施態様を示す図である。
この図では、エアテント１００は、簡単に描かれているが、図１から図６に示されたものである。エアテント１００そのものでも、空気層による断熱効果により、放熱や結露の防止効果が高いが、内部に点線で示すように内張り布により入居空間７００を設けるとより効果が大きい。この例では、入居空間はピラミッドのような４角錐形状をし、その中に入ることが出来る。
又、内張り構造以外にも、エアテント１００内面にアルミニウム箔などの反射材や起毛布などを取外し自在に取り付けることも可能であり、熱の放散を阻止できる。
【００２５】
図８は、本発明に係る携帯型エアテントの外張りシート（フライシート）構造を備えた一実施態様を示す図である。外張りシート（フライシート）８００は、ロープ８０１で地面に固定されていて、直射日光からの回避や、断熱、結露の防止の効果が高い。
【００２６】
図９は、本発明に係る携帯型エアテントで内側から地面固定具を備えた一実施態様を示す図である。この図では、座板１１０の四隅にはと目穴９００とエアテント部１２０の内側からエアテント部１２０を下地の地面に固定できるように内側から地面固定具９１０を有した例である。ここでは、はと目穴が開けてあり、ピンを打ち込んで固定している。内側から固定できることは、先にテント内に潜り込んでから固定が出来る点で有利である。
尚、地面固定具９１０や、はと目穴９００は、他の手段であっても可能なことは当然である。尚、エアテント部１２０と座板１１０には、ロープ固定などに便利なようにはと目穴９００等を備えるとよい。
【産業上の利用可能性】
【００２７】
以上のように本発明による携帯型エアテントは、ザックの内外に収納して携帯でき、特に緊急時に使用して低体温症などの危険から人体を守ったり、一時的に収容空間を提供できるので極めて便利であり、大きい産業上の利用性がある。
【符号の説明】
【００２８】
１００  エアテント
１１０  座板
１１１  下地板
１１２  緩衝層
１２０  エアテント部
１２１  出入り穴部
１２２  空気穴
１２３  開閉具
１２４  脚部覆い空間
１２５  エアフレーム
２０１  係止具
２０２  ザック固定具
３００  ザック
４００  結合具
４０１  底布
７００  入居空間
８００  外張りシート
８０１  ロープ
９００  はと目穴
９１０  地面固定具
【図１】
2014084552.tif 000003
【図２】
2014084552.tif 000004
【図３】
2014084552.tif 000005
【図４】
2014084552.tif 000006
【図５】
2014084552.tif 000007
【図６】
2014084552.tif 000008
【図７】
2014084552.tif 000009
【図８】
2014084552.tif 000010
【図９】
2014084552.tif 000011
【図１０】
2014084552.tif 000012